(57)【要約】【課題】ステージから始動入賞部品への入賞に対する期待感を遊技者に持続させることで遊技性向上を図る。【解決手段】球取入口部３７に取り込まれた球は球取入口部３７から棚部３８および溝部３９を順に経由して上ステージ３の球導入通路５に流れ、球導入通路５に流れた球は球振分体６に取り込まれて球振分孔１２から落下した球は案内壁１５で球導入口２４に案内され、球導入口２４から連絡通路３３のガイドレール３４の上に落下し、ガイドレール３４の上を前方に流下した後に、球排出口３２から真下の始動入賞部品に向けて落下し、球振分孔１３；１４から落下した球は球振分突条２５に衝突した後、球導出部２６の方向に流下せずに落とし領域２９から球導入口２４の方向に流れるか、または、球導入スロープ２１を球導出部２６の方向に流れ、球導出部２６に流れた球は球導出スロープ２２から始動入賞部品の脇に落下する。【選択図】　　　　図１
2004073264.tif 000002
【特許請求の範囲】
【請求項１】
遊技盤の遊技領域に設けられた始動入賞部品に球の落下を行うセンター飾りにおいて、遊技領域から球を受け取る上ステージと遊技領域に球を落下させる下ステージと、下ステージよりも下部に前記始動入賞部品に向けて球を落下させる球排出口とを備え、上ステージに複数の球振分孔の形成された球振分体を設け、下ステージに前記球排出口に連なる球導入口を設け、複数の球振分孔のうち少なくとも１個の球振分孔を球導入口に連接し、それ以外の球振分孔を球導入口と下ステージとの連接部の真上に配置したことを特徴とするパチンコ機のセンター飾り。
【請求項２】
球振分体は上ステージに固定された丸皿状であって、底部が落下した球を渦巻き状の軌跡を描きながら徐々に中央の方向に流れる格好のすり鉢状の斜面に形成される一方、底部に複数の球振分孔を形成したことを特徴とする請求項１記載のパチンコ機のセンター飾り。
【請求項３】
丸皿状の球振分体における底部の中央に突起を設けたことを特徴とする請求項２記載のパチンコ機のセンター飾り。
【請求項４】
球導入口と下ステージとの連接部に、複数の球振分孔のうち少なくとも１個の球振分孔以外の球振分孔から落下した球に衝突する球振分突条と、下ステージからの球を落下させる落とし領域とを設けたことを特徴とする請求項１記載のパチンコ機のセンター飾り。
【請求項５】
球排出口と球導入口とをつなぐ連絡通路の底部に球を誘導するガイドレールを設けたことを特徴とする請求項１記載のパチンコ機のセンター飾り。
【発明の詳細な説明】
【０００１】
【発明の属する技術分野】
本発明はパチンコ機のセンター飾りであって、とりわけ、始動入賞部品への球の落下を行うステージの構造に関する。
【０００２】
【従来の技術】
図５は特開平９−１９２３０４号公報で開示されたパチンコ機の遊技主体である遊技盤１０１の正面を示し、遊技盤１０１は遊技盤１０１の前面である意匠盤面のガイドレール１０２で囲まれた内側の遊技領域に始動入賞部品１０３、図柄表示器１０４、可変入賞部品１０５、一般入賞部品１０６、風車１０７、サイドランプ１０８、センター飾り１０９、多数の遊技釘（図示省略）などを備える。センター飾り１０９は遊技盤１０１の遊技領域に前後方向に貫通するように形成された図外の開口部に前側から挿入される透視パネル１１０を有する。図柄表示器１０４はセンター飾り１０９における透視パネル１１０を通して遊技盤１０１の前側から表示画面が遊技者で視認されるようにセンター飾り１０９の裏側に配置される。
【０００３】
そして、遊技者が遊技盤１０１の格納された図外の遊技機枠の前面に設けられた図外の皿装置に球を入れた状態において、遊技者が遊技機枠の前面に設けられたハンドルグリップと呼ばれるような図外の球発射操作部品を操作すると、遊技機枠の内部に設けられた図外の球発射機構が皿装置から供給された球を遊技領域に向けて発射し、遊技領域に発射された球が始動入賞部品１０３または一般入賞部品１０６に入賞すると、始動入賞部品１０３に入賞した球を検出した図外の始動入賞球検出器が始動入賞信号を図外の制御装置に出力し、または、一般入賞部品１０６に入賞した球を検出した図外の一般入賞球検出器が一般入賞信号を制御装置に出力する。
【０００４】
制御装置が始動入賞信号または一般入賞信号を入力すると、制御装置は始動入賞信号または一般入賞信号が制御装置の入力インターフェースにおけるどの入力ポートに入力されたかを検出することによって、制御装置が入力した信号がどの始動入賞球検出器からの始動入賞信号であるかまたはどの一般入賞球検出器からの入賞信号であるかを特定（検出）し、制御装置が始動入賞信号の検出（特定）を契機として図柄表示器１０４と可変入賞部品１０５とで遊技者に有利な遊技を実行する。よって、図柄表示器１０４と可変入賞部品１０５とが始動入賞部品１０３への球の入賞に伴う遊技者に有利な遊技を実行する遊技部品である。また、始動入賞部品１０３と複数の可変入賞部品１０５とが遊技盤１０１の遊技領域に遊技領域から球を入賞可能に設けられる一方、図柄表示器１０４が遊技盤１０１の遊技領域に遊技盤１０１の前側から視認可能に設けられる。
【０００５】
一方、センター飾り１０９について説明すると、センター飾り１０９は天球取入口１１１、透視パネル１１０の周囲を迂回するワープ通路１１２、透視パネル１１０の下縁に沿うステージ１１３、ワープ通路１１２に形成されたステージ連絡口１１４、ワープ通路１１２における下部通路１１５に形成された裏側球導入口１１６、ワープ通路１１２よりも下部に位置するセンター飾り１０９の前壁１１７に形成された前側球出口１１８、裏側球導入口１１６と前側球出口１１８とをつなぐ連絡通路１１９、ステージ連絡口１１４に配置された振分機構１２０を備える。振分機構１２０はセンター飾り１０９の裏側に設けられた図外のモータで回転駆動される図６にも示す中空円筒状の回転体１２１の周壁に図６にも示す複数の球通過孔１２２を有する。
【０００６】
そして、天球取入口１１１から取り込まれた球がワープ通路１１２を流下し、ステージ連絡口１１４の部分で振分機構１２０の回転中の回転体１２１に絡む。当該絡んだ球は球通過孔１２２から回転体１２１の内部に取り込まれ、或る球は回転体１２１の内部から球通過孔１２２およびステージ連絡口１１４を順に経由してステージ１１３に排出され、別の或る球は回転体１２１の内部から球通過孔１２２を経由して下部通路１１５に排出される。ステージ１１３に排出された球はステージ１１３から始動入賞部品１０３の方向に落下し、下部通路１１５に排出された球は下部通路１１５から裏側球導入口１１６および連絡通路１１９を順に経由して前側球出口１１８から始動入賞部品１０３の方向に落下する。前側球出口１１８がステージ１１３よりも始動入賞部品１０３に近いので、前側球出口１１８から落下した球の方がステージ１１３から落下した球よりも始動入賞部品１０３に入賞しやすい。
【０００７】
【発明が解決しようとする課題】
しかしながら、前記従来例は振分機構１２０が球をステージ１１３と下部通路１１５とのいずれかに１回だけ振り分けるだけの構造であり、ステージ１１３と始動入賞部品１０３との間隔が前側球出口１１８と始動入賞部品１０３との間隔よりも大きいことから、振分機構１２０でステージ１１３に振り分けられた球は振分機構１２０で下部通路１１５に振り分けられた球に比べて始動入賞部品１０３に入賞する確率が低く、遊技者は球が振分機構１２０でステージ１１３に振り分けられることで始動入賞部品１０３への入賞に対する期待感を減退してしまい、遊技性に欠けるという問題点があった。
【０００８】
そこで、本発明は球の二段振分機能で始動入賞部品への入賞に対する期待感を遊技者に持続させ、遊技性を向上することができるパチンコ機のセンター飾りを提供するものである。
【０００９】
【課題を解決するための手段】
本発明にあっては、遊技盤の遊技領域に設けられた始動入賞部品に球の落下を行うセンター飾りにおいて、遊技領域から球を受け取る上ステージと遊技領域に球を落下させる下ステージと、下ステージよりも下部に前記始動入賞部品に向けて球を落下させる球排出口とを備え、上ステージに複数の球振分孔の形成された球振分体を設け、下ステージに前記球排出口に連なる球導入口を設け、複数の球振分孔のうち少なくとも１個の球振分孔を球導入口に連接し、それ以外の球振分孔を球導入口と下ステージとの連接部の真上に配置したことによって、球が遊技盤の遊技領域から上ステージから球振分体に取り込まれ、球振分体における少なくとも１個の特定の球振分孔から落下した球は球導入口を経由して球排出口から真下の始動入賞部品に向けて落下し、前記特定以外の球振分孔から落下した球は球導入口と下ステージとの連接部分に落下し、当該連接部分から球導入口に落下するかまたは下ガイドの方向に流れ、下ガイドに流れた球は下ガイドから始動入賞部品の脇に落下する。つまり、球が球振分体のよる球振分機能、球導入口と下ステージとの連接部分による球振分機能の二段に形成されているので、特定以外の球振分孔から落下した球が特定の球振分孔から落下した球と同様に球導入口を経由して球排出口から真下の始動入賞部品に向けて落下する可能が有り、始動入賞部品への入賞に対する期待感を遊技者に持続させ、遊技性を向上することができる。また、本発明にあっては、球振分体は上ステージに固定された丸皿状であって、底部が落下した球を渦巻き状の軌跡を描きながら徐々に中央の方向に流れる格好のすり鉢状の斜面に形成される一方、底部に複数の球振分孔を形成すれば、球振分体に取り込まれた球が複数の球振分孔のいずれかに取り込まれる過程を遊技者が適切に把握することができる。また、本発明にあっては、丸皿状の球振分体における底部皿の中央に突起を設けければ、突起が球振分体に取り込まれた球を複数の球振分孔のいずれかに確実に取り込ませることができる。また、本発明にあっては、球導入口と下ステージとの連接部に、複数の球振分孔のうち少なくとも１個の球振分孔以外の球振分孔から落下した球に衝突する球振分突条と、下ステージからの球を落下させる落とし領域とを設ければ、球振分突条による球飛びと、落とし領域による球導入口への球の落下とを作ることができる。また、本発明にあっては、球排出口と球導入口とをつなぐ連絡通路の底部に球を誘導するガイドレールを設けければ、ガイドレールが球を球排出口から真下の始動入賞部品に向けて適切に落下することができる。
【００１０】
【発明の実施の形態】
図１から図３は一実施形態であって、図１はセンター飾り１におけるステージ２を分解した外観を示し、図２はセンター飾り１の外観を示し、図３はセンター飾り１の連絡通路３３の周りを前後方向で縦方向に切断した縦断を示す。
【００１１】
図１を参照し、センター飾り１におけるステージ２の構造について説明する。ステージ２は上ステージ３および下ステージ４を備える。上ステージ３は左右の球導入通路５および中央の丸皿状の球振分体６を備える。球導入通路５はセンター飾り１の透視パネル７から下方に連なる縦壁８よりも前側に配置された上方開放状の溝になっている。左側の球導入通路５は左側から中央に向けて球を自然に流下可能な片流れ形状であり、右側の球導入通路５は右側から中央に向けて球を自然に流下可能な片流れ形状である。つまり、左右の球導入通路５は互いに外側から中央の球振分体６の方向に球を誘導する。左右の球導入通路５の下流端部は球が球振分体６の周壁１０の縦壁側縁を超えて底部９に落下するように球振分体６の周壁１０に連接される。
【００１２】
球振分体６は円形な底部９から上方に突出する周壁１０を有し、底部９の中心部に上方に突出する突起１１、突起１１を中心とする１つの円周上に形成された複数の球振分孔１２；１３；１４、１つの特定の球振分孔１２の周りで底部９から下方に突出した案内壁１５を備える。案内壁１５は平面視前側に突出する半円形である。底部９は周壁１０の位置する側から突起１１に向けて球を誘導するすり鉢状である。具体的には、底部９は球導入通路５から周壁１０の縦壁側縁を越えて底部９に落下した球が渦巻き状の軌跡を描きながら徐々に突起１１の方向に流れる格好の斜面になっている。
【００１３】
下ステージ４は左右の球導入スロープ２１、左右の球導出スロープ２２、中央の球振分体取付部２３、中央の球導入口２４、中央の球振分突条２５を備える。球導入スロープ２１は前記センター飾り１の縦壁８から連接して前側に突出する正面視下方に窪む弧状の斜面であって、球導入口２４の側に寄った部分に球導出部２６を備える。球導出部２６は縦壁８から前方に行くにしたがい横幅が徐々に広くなるとともに下り坂になっている。球導出スロープ２２は球導入スロープ２１から連接して前側に突出する正面視下方に窪む弧状の斜面であって、球導入スロープ２１から前方に行くにしたがい下り坂になっている。
【００１４】
球振分体取付部２３は球導出スロープ２２に連なる水平で平坦な上面２７、上面２７の左右端部から上方に突出するリブ２８を備える。球導入口２４は球振分体取付部２３の真後に配置されるとともに左右の球導入スロープ２１の間に形成されて１個の球の通過を許容する上下に貫通する前後方向に細長い孔である。球振分突条２５は縦壁８から球導入口２４の左右縁に沿い前方に延長された棒状である。球振分突条２５と球振分体取付部２３との間における球導入口２４の左右縁は１個の球の通過を許容する落とし領域２９になっている。よって、左右の球導入スロープ２１において、左右の外側から球導出部２６を中央の方向に超えた球が球振分突条２５で堰き止められるけれども、落とし領域２９から球導入口２４に落下する可能性が存在する。
【００１５】
センター飾り１は下ステージ４の前縁から下方に突出した前壁３１に前側球出口３２、前側球出口３２と球導入口２４とをつなぐ連絡通路３３を備える。連絡通路３３は上・下ステージ３；４の下部に上・下ステージ３；４を隔壁として形成された球通路であって、連絡通路３３の底部には左右一対のガイドレール３４が設けられる。ガイドレール３４は球を球導入口２４から前側球出口３２に案内する傾斜を有する。前壁３１はセンター飾り１を図３の遊技盤１０１に取り付ける場合に遊技盤１０１の遊技領域に接触し、前側から図外の止ねじを前壁３１に設けられた貫通孔３５から遊技盤１０１に締結されることによって、センター飾り１を遊技盤１０１に結合するためのフランジを構成する。
【００１６】
上・下ステージ３；４よりも左右外側に位置する部分の前壁３１には球取入部３７を前側に突出する形態に有する。球取入部３７は図２に示す遊技盤１０１の遊技領域から球を取り込むとともに取り込んだ球を前壁３１を迂回して透視パネル７の方向に誘導する上方開放状の溝になっている。球取入部３７の終端には球を中央側に誘導する棚部３８、棚部３８から前側に配置された上方開放の溝部３９を備える。棚部３８は球取入部３７から排出された球を溝部３９の方向に導出する。溝部３９は棚部３８から前側に落下した球を上ステージ３の球導入通路５の方向に導出する。
【００１７】
図３に示すように、案内壁１５の下部が下ステージ４の球振分体取付部２３に結合されることで、球振分体６が下ステージ４に取り付けられて底部９と下ステージ４の球振分体取付部２３との間に１個の球の直径よりも大きい隙間を形成する。案内壁１５は内面に案内突条３６を備える。案内突条３６は案内壁１５と対応する球振分孔１２から落下した球を球導入口２４の方向に導く側面視弧状になっている。
【００１８】
図４に示すように、上ステージ３と下ステージ４との関係において、上ステージ３の球振分体６が案内壁１５で下ステージ４の球振分体取付部２３に取り付けられた場合、案内壁１５と対応する球振分孔１２以外の球振分孔１３；１４は下ステージ４の球振分突条２５の真上に配置される。これによって、当該球振分孔１３；１４から落下した球は球振分突条２５に衝突した後、上ステージ３を球導出部２６の方向に流下するか、または、球導出部２６の方向に流下せずに落とし領域２９から球導入口２４に取り込まれる可能性が存在する。
【００１９】
本実施形態の構造によれば、図２に示すように、上ステージ３と下ステージ４とが互いに組み立てられることによって、案内壁１５と球振分体取付部２３とが互いに結合され、左右の球導入通路５の外側端部と左右の溝部３９の内側端部とが連接される。そして、上ステージ３と下ステージ４とを備えたセンター飾り１が遊技盤１０１に取り付けられた状態において、球が矢印Ｘ１で示すように遊技盤１０１の遊技領域から球取入口部３７に取り込まれると、当該球は矢印Ｘ２で示すように球取入口部３７から棚部３８および溝部３９を順に経由して上ステージ３の球導入通路５に流れる。
【００２０】
球導入通路５に流れた球は球振分体６に取り込まれて複数の球振分孔１２〜１４のいずれか１つから落下する。球振分孔１２から落下した球は案内壁１５および図３の案内突条３６で球導入口２４に案内され、球導入口２４から連絡通路３３のガイドレール３４の上に落下し、ガイドレール３４の上を前方に流下した後に、前側球出口３２から矢印Ｘ３で示すように真下の始動入賞部品１０３に向けて落下する。球振分孔１３；１４のいずれかから落下した球は球振分突条２５に衝突した後、球導出部２６の方向に流下せずに落とし領域２９から球導入口２４の方向に流れるか、または、球導入スロープ２１を球導出部２６の方向に流れる。球導出部２６に流れた球は矢印Ｘ４で示すように球導出スロープ２２から始動入賞部品１０３の脇に落下する。
【００２１】
図１中の符号１２３は遊技盤１０１に設けられた始動入賞部品１０３に対する命釘と呼ばれる遊技釘である。
【図面の簡単な説明】
【図１】一実施形態に係るセンター飾りのステージを示す分解斜視図。
【図２】同実施形態のセンター飾りを示す斜視図。
【図３】同実施形態の連絡通路周りを示す縦断面図。
【図４】同実施形態の球振分体周りを示す平面図。
【図５】従来の遊技盤を示す正面図。
【図６】従来の回転体周りを拡大して示す断面図。
【符号の説明】
１　センター飾り
３　上ステージ
４　下ステージ
６　球振分体
９　底部
１１　突起
１２；１３；１４　球振分孔
２４　球導入口
２５　球振分突条
２９　落とし領域
３２　前側球出口
３３　連絡通路
３４　ガイドレール
１０１　遊技盤
１０３　始動入賞部品
【図１】
2004073264.tif 000003
【図２】
2004073264.tif 000004
【図３】
2004073264.tif 000005
【図４】
2004073264.tif 000006
【図５】
2004073264.tif 000007
【図６】
2004073264.tif 000008